(57)【要約】回収袋が結合されるペットの排泄物回収装置が開示される。本発明に係るペットの排泄物回収装置は、中央に穿孔された排便口を備え、上部にはペットの尻尾が置かれる半円状の係止爪を有する排便器本体と、前記排便器本体の背面の両側面から後方に延び、上下に回転可能な取付棒と、前記排便器本体の排便口の周縁に着脱される回収袋と、を備える。本発明によれば、ペットの排泄物を衛生的に処理することができ、しかも、環境汚染を予防することができる。【選択図】図１
2012505635.tif 000002
【特許請求の範囲】
【請求項１】
中央に穿孔された排便口（１１）を備え、上部にはペットの尻尾が置かれる半円状の係止爪（１５）を有する排便器本体（１０）と、
前記排便器本体（１０）の背面の両側面から後方に延び、上下に回転可能な取付棒（１６）と、
前記排便器本体（１０）の排便口（１１）の周縁に着脱される回収袋（２０）と、
を備え、
前記係止爪（１５）は、前方に５〜４５°の角度で円形に突出されてペットの尻尾が安定的に置かれるようにすることを特徴とするペットの排泄物回収装置。
【請求項２】
中央に穿孔された小便口（１１１）を備え、側面には水平に形成された摺動支持部（１１５）を有する排尿器本体（１１０）と、
前記排尿器本体の周縁に着脱される回収袋（１２０）と、
前記排尿器本体（１１０）の摺動支持部（１１５）が摺動される摺動溝（１１３）を有する排尿器本体係止部（１３２）と、排尿器本体係止部（１３２）から両側に延びてペットの身体に巻まれるように形成された羽根部（１３１）と、帯とを連結する連結溝（１１８）と、
を備える請求項１に記載のペットの排泄物回収装置。
【請求項３】
前記排便器本体の下端に形成された２つの下連結溝（１８）と、
前記取付棒（１６）のそれぞれの端部に形成された２つの上連結溝（１９）と、
をさらに備えて着用帯と連結されることを特徴とする請求項１に記載のペットの排泄物回収装置。
【請求項４】
前記排便口（１１）の下端から延びて大小便一体型の回収装置として形成されることを特徴とする請求項１に記載のペットの排泄物回収装置。
【請求項５】
前記回収袋は蛇腹状に接合されて回収袋の入口に取り付けられる１次マウントと、
前記１次マウントに取り付けられ、１次マウントに接合された蛇腹の皺が拡開することを防ぐ多数の拡開防止爪が形成された２次マウントと、
を備え、
ペットの排便に際して、自重によって回収袋が外部に拡開しつつ排泄物が溜まることを特徴とする請求項１乃至２に記載のペットの大便及び小便回収装置。
【請求項６】
前記排便器本体または排尿器本体は、ペットと密着して気密を維持するために、前記排便器本体または排尿器本体の周縁部に着脱自在に嵌合される蛇腹部をさらに備えることを特徴とする請求項１乃至２に記載のペット用の排泄物回収装置。
【請求項７】
前記回収袋の着脱は、磁気力式、ゴム輪方式、スナップボタン方式、接着テープ方式、溝への嵌入方式または摺動方式により行われることを特徴とする請求項１乃至２に記載のペットの排泄物回収装置。
【請求項８】
磁気力大便回収装置は、
前記排便器本体（６０）の排便口（６１）の左右側に埋設される多数の磁石からなる第１磁気力部（６２）と、
前記第１磁気力部（６２）の上端に位置し、排便器本体（６０）に設けられた係止爪の左右側面に埋設される１以上の磁石からなる第２磁気力部（６３）を有する排便器本体（６０）と、
前記第１磁気力部（６２）に着脱自在に設けられる１次回収袋（７０）と、
前記１次回収袋（７０）を覆うように前記第２磁気力部（６３）に結着される２次回収袋（８０）と、
を備える二重構造により行われることを特徴とする請求項７に記載のペットの排泄物回収装置。
【請求項９】
前記１次回収袋（７０）は、排便器本体（６０）の第１磁気力部（６２）と対応する個所に磁石（７２）が埋設されて結着自在に構成され、
前記２次回収袋（８０）に大便及び小便が溜まることを防ぐために、１次回収袋（７０）と２次回収袋（８０）との間における１次回収袋（７０）寄りに隠膜（７５）が設けられることを特徴とする請求項８に記載のペットの排泄物回収装置。
【請求項１０】
前記２次回収袋（８０）は、
排便器本体（６０）の第２磁気力部（６３）と対応する個所に磁石が埋設されて着脱自在に構成される第２磁気力部（８３）と、
排便器本体（６０）の第１磁気力部（６２）および１次回収袋（７０）の磁石（７２）と対応する個所に埋設されて着脱自在に構成される第１磁気力部（８２）と、
前記２次回収袋（８０）の上端に位置する第２磁気力部（８３）が１次回収袋（７０）に固定され、第１磁気力部（８２）と１次回収袋（７０）の磁石（７２）との間に隙間ができるように第１磁気力部（８２）と第２磁気力部（８３）との間に所定部分折り曲げられた溝状に形成されて２次回収袋（８０）を折畳可能な折曲溝（８５）と、
を備えることを特徴とする請求項８に記載のペットの排泄物回収装置。
【請求項１１】
磁気力大便回収装置は、
中央に穿孔された排便口（６０１）の左右側に埋設される多数の磁石からなる磁気力部（６０２）及び前記磁気力部（６０２）の上端に位置し、係止爪（６０３）の左右側に形成される蝶合手段（６０４）を有する排便器本体（６００）と、
前記排便器本体（６００）の磁気力部（６０２）と対応する個所に磁石（７０１）が埋設されて着脱自在に構成され、隠膜を有する１次回収袋（７００）と、
前記排便器本体（６００）の蝶合手段（６０４）によって結合され、中央に穿孔された排便口（８０１）の左右側に埋設される多数の磁石からなる磁気力部（８０２）及び上部にはペットの尻尾が置かれる半円状の係止爪（８０３）を有するブラケット（８００）と、
前記ブラケット（８００）の磁気力部（８０１）と対応する個所に磁石が埋設されて着脱自在に構成される２次回収袋（９００）と、
を備える二重構造により行われることを特徴とする請求項７に記載のペットの排泄物回収装置。
【請求項１２】
磁気力大便回収装置は、
中央に穿孔された小便口（１１００）の周縁から所定の距離だけ突出して形成されるが、左側面または右側面に斜設された突出部（１２００）と、前記突出部（１２００）に形成され、側面に凹設された摺動溝（１３００）と、前記摺動溝（１３００）に埋設される磁気力部（１４００）と、を有する排尿器本体（１０００）と、
前記摺動溝（１３００）に摺動され、摺動溝の磁気力部（１４００）と一部対応する個所に磁石（２１００）が埋設されて着脱自在に構成され、隠膜を有する１次回収袋（２０００）と、
前記１次回収袋（２０００）の背面に着脱自在に設けられ、前記摺動溝（１３００）に摺動され、摺動溝の磁気力部（１４００）および１次回収袋の磁石（２１００）と対応する個所に磁石（３２００）が埋設され、隠膜を有する２次回収袋（３０００）と、
を備えることにより行われることを特徴とする請求項７に記載のペットの排泄物回収装置。
【請求項１３】
磁気力大便回収装置は、
中央に穿孔された小便口の左右側に埋設される多数の磁石からなる磁気力部及び前記磁気力部の上端に形成される蝶合手段を有する排尿器本体と、
前記排尿器本体の磁気力部と対応する個所に磁石が埋設されて着脱自在に構成され、隠膜を有する１次回収袋と、
前記排尿器本体の蝶合手段によって結合され、中央に穿孔された小便口の左右側に埋設される多数の磁石からなる２次ブラケットと、
前記２次ブラケットの磁気力部と対応する個所に磁石が埋設されて着脱自在に構成される２次回収袋と、
を備える二重構造により行われることを特徴とする請求項７に記載のペットの排泄物回収装置。
【請求項１４】
中央に穿孔された小便口（１１１）を備え、側面には水平に形成された摺動支持部（１１５）を有する排尿器本体（１１０）と、
前記排尿器本体の周縁に着脱される回収袋（１２０）と、
前記排尿器本体（１１０）の摺動支持部（１１５）が摺動される摺動溝（１１３）を有する排尿器本体係止部（１３２）と、排尿器本体係止部（１３２）から両側に延びてペットの身体に巻かれるように形成された羽根部（１３１）と、を有する巻帯（１３０）と、
を備えるペットの排泄物回収装置。
【請求項１５】
前記巻帯（１３０）の羽根部（１３１）の両端には、ペットの毛と結合可能な櫛歯式のワンタッチバネ（１３５）が形成されることを特徴とする請求項１４に記載のペットの排泄物回収装置。
【請求項１６】
中央に排便口（１１）を備え、上部にはペットの尻尾の下部が置かれる半円部を有する排便器本体（１０）と、
前記排便器本体の排便口の周縁に着脱される回収袋と、
前記排便器本体の上端と結合し、ペットの尻尾の上部が置かれる半円部（３２）を有する係止バネ（３０）と、
前記係止バネ（３０）の半円部（３２）に摺動してペットの尻尾を安定的に固定する固定部材（３７）と、
を備えるペット用の排泄物回収装置。
【請求項１７】
中央に排便口（１１）を備え、上部にはペットの尻尾の下部が置かれる半円部を有する排便器本体（１０）と、
前記排便器本体の排便口の周縁に着脱される回収袋と、
前記排便器本体の上端と結合し、ペットの尻尾の上部が置かれる半円部（３２）を有する係止バネ（３０）と、
前記係止バネ（３０）に放射状に切欠されてペットの尻尾が貫通しつつ尻尾が固定される固定部材（３８）と、
を備えるペット用の排泄物回収装置。
【請求項１８】
中央に排便口（１１）を備え、上部にはペットの尻尾の下部が置かれる半円部を有する排便器本体（１０）と、
前記排便器本体の排便口の周縁に着脱される回収袋と、
前記排便器本体（１０）の上端と結合し、弾性部材及び櫛歯部材を有してペットの尻尾の上部の毛に固定されるワンタッチ式バネ固定部材（３９）と、
を備えるペット用の排泄物回収装置。
【請求項１９】
中央に排便口を備え、排便口の周縁に回収袋（３２０）が一体に取設された使い捨て排便器本体（３１０）と、
前記排便器本体に凹設された溝を通過しつつペットに着用される着用帯と、
前記着用帯の途中に形成された自動紐縮め装置（３４０）と、
前記排便器本体（３１０）をペットに固定する紐締め装置（３３０）と、
をさらに備えることを特徴とするペット用の排泄物回収装置。
【請求項２０】
中央に穿孔された排便口を備え、上部にはペットの尻尾が置かれる半円状の係止爪を有する排便器本体（１０）と、
前記排便器本体の排便口の周縁に着脱される回収袋（２０）と、
前記排便器本体が挿入されるポケット（５１０）と、
を備えるペット用衣類（５００）を有するペット用の排泄物回収装置。
【発明の詳細な説明】
【技術分野】
【０００１】
本発明はペットの排泄物回収装置に係り、さらに詳しくは、回収袋が結合されたペットの排泄物回収装置に関する。
【背景技術】
【０００２】
ペットを飼育するに当たって最大の難点の一つは、ペットの排泄物を処理し易くすることである。既存より最も頻用されている方法は、原始的ではあるが、使い捨てビニール袋及びティッシュペーパーを携行していて、ペットが排泄をしたときに、自ら排泄物を捨てる方法である。これは非衛生的な方法であり、これを解消するために海外や韓国において数多くの特許及び実用新案が出願されているものの、ペットの実生活に適用されるには実用性に乏しく、これらの用品が上市されるレベルには至っていないのが現状である。
【０００３】
従来の登録された排泄物回収装置としては、大韓民国登録特許第１０−８４３５８９号公報に記載の「ペットの排便回収装置」、大韓民国登録特許第１０−８４３６２６号公報に記載の「ペットの排便回収装置」、及び大韓民国登録特許第１０−８４３５９１号公報に記載の「ペットのオスの用小便回収装置」などが挙げられる。
【０００４】
しかしながら、これらの排泄物回収装置は、ペットにこれらの装置を取り付けることが決して容易ではないという問題点があった。
【先行技術文献】
【特許文献】
【０００５】
【特許文献１】大韓民国登録特許第１０−８４３５８９号公報、名称「ペットの排便回収装置」
【特許文献２】大韓民国登録特許第１０−８４３６２６号公報、名称「ペットの排便回収装置」
【特許文献３】大韓民国登録特許第１０−８４３５９１号公報、名称「ペットのオスの用小便回収装置」
【発明の概要】
【発明が解決しようとする課題】
【０００６】
本発明の目的は、ペットとの散歩時だけではなく、家庭内でも使い易いペットの排泄物回収装置を提供するところにある。
【０００７】
また、本発明の他の目的は、ペットに取付け易く、使い勝手もよいペットの排泄物回収装置を提供するところにある。
【０００８】
さらに、本発明のさらに他の目的は、大便だけではなく、小便も処理しやすいペットの排泄物回収装置を提供するところにある。
【課題を解決するための手段】
【０００９】
前記目的を達成するために、本発明の一実施形態に係るペット用排泄物回収装置は、中央に穿孔された排便口を備え、上部にはペットの尻尾が置かれる半円状の係止爪を有する排便器本体と、前記排便器本体の背面両側面から後方に延び、上下に回転可能な取付棒と、前記排便器本体の排便口の周縁に着脱される回収袋と、を備える。
【００１０】
本発明の一実施形態に係るペット用排泄物回収装置は、前記排便器本体の下端に形成された２つの下連結溝と、前記取付棒のそれぞれの端部に形成された２つの上連結溝と、をさらに備えて着用帯と連結される。
【００１１】
本発明の一実施形態に係るペット用排泄物回収装置は、前記排便器本体とペットとの間の気密を維持するために、前記排便器本体の周縁部に嵌合される蛇腹部をさらに備える。
【００１２】
本発明の一実施形態に係るペット用排泄物回収装置において、前記係止爪は、前方に５〜４５°の角度で円形に突出されてペットの尻尾が安定的に置かれるようにする。
【００１３】
本発明の一実施形態に係るペット用排泄物回収装置において、前記回収袋は蛇腹状に接合されて回収袋の入口に取り付けられる１次マウントと、前記１次マウントに取り付けられ、１次マウントに接合された蛇腹の皺が拡開することを防ぐ多数の拡開防止爪が形成された２次マウントと、を備え、ペットの排便に際して、自重によって回収袋が外部に拡開しつつ排泄物が溜まる。
【００１４】
本発明の一実施形態に係るペット用排泄物回収装置において、前記回収袋の着脱は、磁気力式または摺動方式により行われる。
【００１５】
本発明の一実施形態に係るペット用排泄物回収装置において、磁気力式による回収袋の着脱は、前記排便器本体の排便口の左右側に埋設される多数の磁石からなる第１磁気力部と、前記第１磁気力部の上端に位置し、排便器本体に設けられた係止爪の左右側面に埋設される１以上の磁石からなる第２磁気力部を有する排便器本体と、前記第１磁気力部に着脱自在に設けられる１次回収袋と、前記１次回収袋を覆うように前記第２磁気力部に結着される２次回収袋と、を備える二重構造により行われる。
【００１６】
本発明の一実施形態に係るペット用排泄物回収装置において、前記１次回収袋は、排便器本体の第１磁気力部と対応する個所に磁石が埋設されて結着自在に構成され、前記２次回収袋に大便及び小便が溜まることを防ぐために、１次回収袋と２次回収袋との間における１次回収袋寄りに隠膜が設けられる。
【００１７】
本発明の一実施形態に係るペット用排泄物回収装置において、前記２次回収袋は、排便器本体の第２磁気力部と対応する個所に磁石が埋設されて着脱自在に構成される第２磁気力部と、排便器本体の第１磁気力部および１次回収袋の磁石と対応する個所に埋設されて着脱自在に構成される第１磁気力部と、前記２次回収袋の上端に位置する第２磁気力部が１次回収袋に固定され、第１磁気力部と１次回収袋の磁石との間に隙間ができるように第１磁気力部と第２磁気力部との間に所定部分折り曲げられた溝に折り畳まれる折曲溝と、を備える。
【００１８】
本発明の一実施形態に係るペット用排泄物回収装置において、前記２次回収袋の側面には視覚的効果を与えるために、隠膜が形成される。
【００１９】
本発明の一実施形態に係るペット用排泄物回収装置において、前記磁気力式による回収袋の着脱は、排便口の下端から延びて排尿排便器一体型の回収装置として形成される。
【００２０】
上記の目的を達成するために、本発明の他の実施形態に係るペット用排泄物回収装置は、中央に穿孔された小便口を備え、側面には水平に形成された摺動支持部を有する排尿器本体と、前記排尿器本体の周縁に着脱される回収袋と、前記排尿器本体の摺動支持部が摺動される摺動溝を有する排尿器本体係止部と、排尿器本体係止部から両側に延びてペットの身体に巻かれるように形成された羽根部と、を有する巻帯と、を備える。
【００２１】
本発明の他の実施形態に係るペット用排泄物回収装置において、前記巻帯の羽根部の両端には、ペットの毛と結合可能な櫛歯式のワンタッチバネが形成される。
【００２２】
本発明の他の実施形態に係るペット用排泄物回収装置において、排尿器本体の回収袋は、磁気力式による着脱具を備える。
【００２３】
本発明の他の実施形態に係るペット用排泄物回収装置において、排尿器本体は、中央に穿孔された小便口の周縁から所定の距離だけ突出して形成されるが、左側面または右側面に斜設された突出部と、前記突出部に形成され、側面に凹設された摺動溝と、前記摺動溝に埋設される磁気力部と、を有する。
【００２４】
本発明の他の実施形態に係るペット用排泄物回収装置において、１次回収袋は、前記摺動溝に摺動され、摺動溝の磁気力部と一部対応する個所に磁石が埋設されて着脱自在に構成され、隠膜を有する。
【００２５】
本発明の他の実施形態に係るペット用排泄物回収装置において、２次回収袋は、前記１次回収袋の背面に着脱自在に設けられ、前記摺動溝に摺動され、摺動溝の磁気力部および１次回収袋の磁石と対応する個所に磁石が埋設され、隠膜を有する 。
【００２６】
上記の目的を達成するために、本発明のさらに他の実施形態に係るペット用排泄物回収装置は、中央に排便口を備え、上部にはペットの尻尾の下部が置かれる半円部を有する排便器本体と、前記排便器本体の排便口の周縁に着脱される回収袋と、前記排便器本体の上端と結合し、ペットの尻尾の上部が置かれる半円部を有する係止バネと、前記係止バネの半円部に摺動してペットの尻尾を安定的に固定する固定部材と、を備える。
【００２７】
上記の目的を達成するために、本発明のさらに他の実施形態に係るペット用排泄物回収装置は、中央に排便口を備え、上部にはペットの尻尾の下部が置かれる半円部を有する排便器本体と、前記排便器本体の排便口の周縁に着脱される回収袋と、前記排便器本体の上端と結合し、ペットの尻尾の上部が置かれる半円部を有する係止バネと、前記係止バネに放射状に切欠されてペットの尻尾が貫通しつつ尻尾が固定される固定部材と、を備える。
【００２８】
上記の目的を達成するために、本発明のさらに他の実施形態に係るペット用排泄物回収装置は、中央に排便口を備え、上部にはペットの尻尾の下部が置かれる半円部を有する排便器本体と、前記排便器本体の排便口の周縁に着脱される回収袋と、前記排便器本体の上端と結合し、弾性部材及び櫛歯部材を有してペットの尻尾の上部の毛に固定されるワンタッチ式バネ固定部材と、を備える。
【００２９】
上記の目的を達成するために、本発明のさらに他の実施形態に係るペット用排泄物回収装置は、中央に排便口を備え、排便口の周縁に回収袋が一体に取設された使い捨て排便器本体と、前記排便器本体に凹設された溝を通過しつつペットに着用される着用帯と、前記着用帯の途中に形成された自動紐縮め装置と、前記排便器本体をペットに固定する紐締め装置と、をさらに備える。
【００３０】
上記の目的を達成するために、本発明のさらに他の実施形態に係るペット用排泄物回収装置は、中央に穿孔された排便口を備え、上部にはペットの尻尾が置かれる半円状の係止爪を有する排便器本体と、前記排便器本体の排便口の周縁に着脱される回収袋と、前記排便器本体が挿入されるポケットと、を備えるペット用衣類を有する。
【発明の効果】
【００３１】
本発明によれば、ペットの排泄物を衛生的に処理することができ、しかも、環境汚染を予防することができる。
【００３２】
また、回収袋が着脱される排泄物回収装置は、回収袋は使い捨て消耗品を使用し、これ以外の回収装置は半永久的に使用することができて経済性に富んでいる。
【００３３】
さらに、回収袋が一体型に形成される排泄物回収装置は衛生的であり、しかも、使い勝手が良い。
【図面の簡単な説明】
【００３４】
【図１】本発明の第１の実施形態に係る排泄物回収装置を示す斜視図である。
【図２】本発明の第１の実施形態に係る排泄物回収装置を示す正面図である。
【図３】本発明の第１の実施形態に係る排泄物回収装置を示す側面図である。
【図４】本発明の第１の実施形態に係る排泄物回収装置を示す平面図である。
【図５】本発明の第１の実施形態に係る排便器本体と蛇腹部との結合を示す分解図である。
【図６】本発明の第１の実施形態に係るオスの用小便回収装置を示す斜視図である。
【図７】オスの用小便回収装置の磁石式二重構造を有する回収袋の着脱を示す図である。
【図８】オスの用小便回収装置の磁石式二重構造を有する回収袋の着脱を示す図である。
【図９】本発明の第１の実施形態に係る巻帯の両端に形成される横方向ワンタッチバネの開閉状態を示す図である。
【図１０】本発明の第１の実施形態に係る巻帯の両端に形成される横方向ワンタッチバネの開閉状態を示す図である。
【図１１】本発明の第１の実施形態よるオスのペットに排泄物回収装置が取り付けられている状態を示す図である。
【図１２】本発明の第２の実施形態に係る尻尾載置型排泄物回収装置を示す図である。
【図１３】本発明の第２の実施形態に係る尻尾載置型排泄物回収装置を示す図である。
【図１４】本発明の第２の実施形態に係る尻尾載置型排泄物回収装置を示す図である。
【図１５】本発明の第２の実施形態に係る尻尾載置型排泄物回収装置を示す図である。
【図１６】本発明の第３の実施形態に係る排便器本体と回収袋との磁気力式結合方式を示す図である。
【図１７】本発明の第３の実施形態に係る磁気力式回収袋の二重構造結合方式を示す図である。
【図１８】本発明の第３の実施形態に係る磁気力式回収袋の二重構造結合方式を示す図である。
【図１９】本発明の第３の実施形態に係る磁気力式回収袋の二重構造結合方式を示す図である。
【図２０】本発明の第３の実施形態に係る磁気力式回収袋の二重構造結合方式の他の例を示す図である。
【図２１】本発明の第４の実施形態に係る回収袋が一体に結合された一体型排便器本体及び排尿器本体に結合帯が結合されたことを示す図である。
【図２２】本発明の第４の実施形態に係る回収袋が一体に結合された一体型排便器本体及び排尿器本体に結合帯が結合されたことを示す図である。
【図２３】オスのペットに本発明に係る使い捨て排便器本体及び使い捨て排尿器本体を結合した状態を示す図である。
【図２４】メスのペットに本発明に係る使い捨て排便器本体を結合した状態を示す図である。
【図２５】本発明に係る自動紐縮め固定装置を示す概略図である。
【図２６】本発明に係る紐締め付属品３３０を示す概略図である。
【図２７】本発明に係る衣類と結合する排便器本体を示す図である。
【発明を実施するための形態】
【００３５】
（第１の実施形態）
図１から図４は、本発明の第１の実施形態に係る排泄物回収装置を示す斜視図、正面図、側面図及び平面図である。
【００３６】
図１から図４を参照すると、本発明の第１の実施形態に係る排泄物回収装置は、排便器本体１０と、排便器本体の正面に着脱自在に設けられる回収袋２０と、を備える。
【００３７】
前記排便器本体１０の中央には排便口１１が穿設され、前面には排便口１１の周縁から所定の距離だけ突出する突出部１２が形成されている。突出部１２の内部には摺動溝１３が凹設され、突出部の上部は開放されて回収袋２０付き摺動板２１が摺動により取り付けられる。
【００３８】
排便器本体１０の上部にはペットの尻尾が置かれる半円状の係止爪１５が形成されている。係止爪１５は、側面視で前方に約５〜４５°突出するような形状を呈するが、これは、ペットの尻尾が楽に置かれるようにするためである。
【００３９】
排便器本体１０の背面の両側面には後方に延びる取付棒１６が形成されるが、取付棒１６は途中部に蝶合１７されて上下に回動可能である。取付棒１６はペットの尻部または尻尾近くに密着されて排便器本体１０を着用し易くするというメリットがある。
【００４０】
排便器本体１０の下端には２つの下連結溝１８が形成され、取付棒の端部には上連結溝１９が形成されて着用帯と連結される。
【００４１】
回収袋２０には摺動板２１が設けられて突出部１２の摺動溝１３に摺動され、回収袋の上方には着脱し易くするための袋把持部２２が設けられる。回収袋２０は、普段は平面を呈するが、ペットが排便をした場合には外部に突出するように多段に折り畳まれる。
【００４２】
前記回収袋は蛇腹状に接合されて回収袋の入口に取り付けられる１次マウントと、前記１次マウントに取り付けられ、１次マウントに接合された蛇腹の皺が拡開することを防ぐ多数の拡開防止爪が形成された２次マウントとを備え、ペットの排便に際して自重によって回収袋が外部に拡開しつつ排便が溜まる。
【００４３】
より具体的に、前記回収袋は、回収袋の入口に取り付けられた１次マウントに蛇腹状に接合され、接合された蛇腹の皺が拡開することを防ぐ多数の拡開防止爪を有する２次マウントを１次マウントに取り付けた構造を有し、ペットが排泄をしたときにその自重によって蛇腹状に接合された袋が外部に拡開しつつ排泄物が溜まるようになっている。
【００４４】
図５は、本発明の第１の実施形態に係る排便器本体と蛇腹部との結合を示す分解図である。
【００４５】
図５を参照すると、排便器本体１０の背面には蛇腹部２５が設けられ、この蛇腹部２５によってペットと排便器本体とが密着して容易に気密を維持するようになっている。前記蛇腹部は、排便器本体の周縁部に嵌められて着脱自在に構成され、排便器本体１０をペットに一層密着させてペットの排泄物が外部に漏れ出ることを防ぐ。前記蛇腹部は、排便器本体に加えて、後述する排尿器本体の周縁部にも設けられる。
【００４６】
図６は、本発明の第１の実施形態に係るオスの用小便回収装置を示す斜視図である。
【００４７】
図６を参照すると、オスの用小便回収装置は、排尿器本体１１０と、排尿器本体１１０と着脱される小便回収袋１２０と、巻帯１３０と、を備える。
【００４８】
排尿器本体１１０の中央には小便口１１１が穿設され、前面には小便口１１１の周縁から所定の距離だけ突出する突出部１１２が形成されている。突出部１１２の内部には摺動溝１１３が凹設され、突出部の上部は開放されて回収袋１２０付き摺動板１２１が摺動により取り付けられる。
【００４９】
排尿器本体の小便口１１１を囲んで水平に摺動支持部１１５が形成され、摺動支持部１１５の後方には睾丸係止部１１７が形成されている。
【００５０】
排尿器本体の下部には２つの下連結溝１１８が形成され、上部には上連結溝（図示せず）が形成されて着用帯と連結される。
【００５１】
回収袋１２０には摺動板１２１が設けられて突出部１１２の摺動溝１１３に摺動され、回収袋の上方には着脱し易くするための袋把持部１２２が設けられる。
【００５２】
巻帯１３０はペットを身体に巻かれるための構造を有し、両側に羽根部１３１が形成され、中央下部には排尿器本体係止部１３２が形成されている。羽根部１３１と排尿器本体係止部１３２とが当接する領域には排尿器本体摺動溝１３３が形成され、排尿器本体の摺動支持部１２２が摺動されて排尿器本体１１０が巻帯１３０に取り付けられる。巻帯１３０の羽根部１３１の両端には櫛歯式のワンタッチバネ１３５が形成されてペットの毛と結合される。ワンタッチバネ１３５は巻帯と横方向または縦方向に結合される。
【００５３】
さらに、排尿器本体１１０の周縁部に嵌められて着脱自在に構成され、排尿器本体１１０をペットに一層強固に密着させてペットの排便が外部に漏れ出ることを防ぐ蛇腹部（図示せず）が設けられる。この蛇腹部によってペットと排尿器本体が密着して気密が維持し易くなる。
【００５４】
さらに、前記回収袋を２枚の回収袋を有するように磁気力式二重構造に構成してこれらの２枚の回収袋が順次に着脱されるようにしてもよい。
【００５５】
図７及び図８は、オスの用小便回収装置の磁気力式二重構造を有する回収袋の着脱を示す図である。
【００５６】
図７及び図８を参照すると、小便回収装置の磁気力式二重構造は、排尿器本体と、１次回収袋と、２次回収袋と、を備える。
【００５７】
一方、排尿器本体１０００は、中央に穿孔された小便口１１００を備え、小便口１１００の周縁から所定の距離だけ突出して形成するが、左側面または右側面に斜設された突出部１２００と、前記突出部１２００に形成され、側面に凹設された摺動溝１３００と、前記摺動溝１３００に埋設される磁気力部１４００と、を備える。
【００５８】
さらに、前記突出部１２００は、好ましくは、左側面または右側面に所定の角度で斜設して、ペットが排便をした場合、左側面または右側面のうちの一側に溜まることにより回収袋が着脱し易いように構成され、前記突出部１２００には摺動溝１３００が凹設されるが、側面が開放されて回収袋を着脱し易くする。
【００５９】
さらに、前記摺動溝１３００には多数の磁石を埋設して回収袋を結着し易いように磁気力部１４００が形成される。
【００６０】
さらに、排尿器本体の小便口１１００を囲んで水平に摺動支持部１５００が形成され、摺動支持部１５００の後方には睾丸係止部１６００が形成されている。
【００６１】
一方、１次回収袋２０００は前記摺動溝１３００に摺動され、摺動溝の磁気力部１４００と一部対応する個所に磁石２１００が埋設されて着脱自在に構成され、隠膜２２００を有する。
【００６２】
また、前記１次回収袋２０００は前記摺動溝の磁石１４００と一部対応するように少数の磁石２１００だけを埋設することにより、優先的に着脱し易いように構成される。
【００６３】
さらに、前記隠膜２２００は２次回収袋と磁石により結合されるが、所定の間隔を維持して着脱し易いように構成され、２次回収袋に排便が溜まることを防ぐ。
【００６４】
一方、２次回収袋３０００は前記１次回収袋２０００の背面に着脱自在に構成され、前記摺動溝１３００に摺動され、摺動溝の磁気力部１４００と対応する個所に磁石３１００が埋設され、隠膜３２００を有する。
【００６５】
また、２次回収袋の磁石３１００は前記摺動溝の磁石１４００と対応する個所に埋設されて相対的に１次回収袋２０００よりも力を受け易いように構成され、２次回収袋３０００には、隠膜３２００が、好ましくは、視覚的効果を与えるために形成される。
【００６６】
図９及び図１０は、本発明の第１の実施形態に係る巻帯の両端に形成される横方向のワンタッチバネの開閉状態を示す図である。
【００６７】
図９を参照すると、ワンタッチバネ１３５は、弾性部材１３５１と、櫛歯部材１３５２と、を有し、開状態では弾性部材１３５１は下部に湾曲しつつ櫛歯部材１３５２と所定の距離を維持する。
【００６８】
図１０を参照すると、スナップボタン１３５の閉状態では、弾性部材１３５１は上部に湾曲しつつ櫛歯部材１３５２と当接し、これらの間にペットの毛が固定される。
【００６９】
さらに、前記ワンタッチバネ１３５は組立て可能に構成され、弾性部材１３５１および櫛歯部材１３５２を分離・結合を自在に行うように構成して、ペットの毛を固定する場合に分離された弾性部材１３５１及び櫛歯部材１３５２を結合するようになっている。
【００７０】
図１１は、オスのペットが本発明の第１の実施形態よる排泄物回収装置を取り付けた状態を示す図である。
【００７１】
図１１を参照すると、着用帯２００および巻帯１３０により排泄物回収装置がペットに固定されている。図示はしないが、メスの用排泄物回収装置にはオスの用排泄物回収装置における小便回収装置が取り付けられておらず、メスの用排泄物回収装置の排便口はオスの用のそれよりも長く延設されている。
【００７２】
以下、第１の実施形態に係る排泄物回収装置の変形例について説明する。
【００７３】
（第２の実施形態）
図１２から図１５は、本発明の第２の実施形態に係る尻尾載置型排泄物回収装置を示す図である。すなわち、図１２から図１５は、ペットの尻尾に排泄物回収装置を固定する方法を示している。
【００７４】
図１１を参照すると、排便器本体１０の中央には排便口１１が穿設され、前面には排便口１１の周縁から所定の距離だけ突出する突出部１２が形成されている。突出部１２の内部には摺動溝１３が凹設され、突出部の上部は開放されて回収袋（図示せず）付き摺動板（図示せず）が摺動により取り付けられる。
【００７５】
排便器本体１０の上部にはペットの尻尾が置かれる半円状の係止爪１５が形成されている。係止爪１５は、側面視で前方に約５〜４５°の角度で円形に突出する形状を呈するが、これは、ペットの尻尾が楽に置かれるようにするためである。
【００７６】
ここで、排便器本体を固定するための手段として、上述した取付棒の代わりに係止バネ３０を使用する。係止バネ３０は、排便器本体１０の結合溝１４と着脱可能な両側面の係合突起３１と、尻尾の上部が置かれるように下部が開放された半円部３２と、を有する。
【００７７】
係合突起３１の一方の側にはヒンジ孔３３及びヒンジ孔に嵌入する固定ねじ３５が設けられて、係止バネの係合突起３１と排便器本体の結合溝１４とが蝶合される。
【００７８】
また、係合突起３１の他方の側には鋸の歯状の固定部３６が形成されて、結合本体に対して高低による段階別の固定が可能である。
【００７９】
加えて、係止バネ３０の半円部３２に摺動する固定部材３７をさらに備えて、大便及び小便回収装置を尻尾に安定的に固定することができる。
【００８０】
図１３を参照すると、固定部材３７は上下動可能であり、ペットの尻尾に固定部材３７が密着された状態で係止バネ３０に固定することができる。固定部材３７の係止バネ３０への固定方法は、図示はしないが、固定部材３７のサイズを多様化させる方法や、係止バネ３０に高低による多数の突起を形成し、固定部材３７には溝を凹設してペットの尻尾が係止バネの半円部に置かれた状態で高低を調節する方法などが採用可能である。
【００８１】
図１４を参照すると、固定部材３８は係止バネ３０に放射状に切欠されて固定される。このような構造により、係止バネ３０の半円部３２を尻尾が貫通しつつ放射状の固定部材３８が外部に向かって折り返されてペットの尻尾に固定される。
【００８２】
図１５を参照すると、固定部材３９は、図６及び図７に基づいて説明した弾性部材および櫛歯部材を有するワンタッチ式バネ３９であり、ペットの尻尾の上部の毛に固定される。図１２に示す尻尾載置型排泄物回収装置は別の係止バネを備えておらず、尻尾を固定する固定部材としてワンタッチバネ３９を使用する。
【００８３】
（第３の実施形態）
以下、排便器本体や排尿器本体と回収袋との結合方法を説明する。理解の便宜のために、排便器本体を例にとって説明を行う。
【００８４】
上述した回収袋の結合方法は、回収袋が排便器本体に摺動されて結合する方式である。本発明は、これに加えて、回収袋の入口にゴム輪を絡ませてゴム輪と排便器本体の突出部とを結合する方式、排便器本体の排便口の周縁に溝を凹設して回収袋に形成されたマウントを溝に嵌める方式、回収袋の周縁に両面テープを貼り付けた後、回収袋と排便器本体とをテープにより結合する方式など様々な結合方式が採用可能である。
【００８５】
これらに加えて、磁気力式の結合方式も採用可能である。
【００８６】
図１６は、本発明の第３の実施形態に係る排便器本体と回収袋との磁気力式結合方法を示す図である。
【００８７】
図１６を参照すると、排便器本体１０の排便口１１の周縁部に磁石５０が嵌められ、回収袋には鉄板５１が嵌められて互いに磁気力式により着脱される。磁気力式の結合方法は、ペットが排便をした場合に、回収袋の自重によって磁気力が消去されて排便処理を速やかに行うことができるというメリットがある。
【００８８】
図１７から図１９は、本発明の第３の実施形態に係る磁気力式回収袋の二重構造結合方法を示す図である。
【００８９】
図１７を参照すると、磁気力式による回収袋の着脱は、２枚の回収袋を有する二重構造の磁気力式結合方法により行われる。
【００９０】
一方、磁気力式による回収袋の着脱は、排便口６１の左右側に埋設される多数の磁石からなる第１磁気力部６２及び前記第１磁気力部の上端に位置し、排便器本体に設けられた係止爪の左右側に埋設される１以上の磁石からなる第２磁気力部６３を有する排便器本体６０と、前記第１磁気力部６２に着脱自在に結着される１次回収袋７０及び前記１次回収袋７０を覆うように前記第２磁気力部６３に結着される２次回収袋８０を備える二重構造を有する。
【００９１】
一方、排便器本体６０は中央に穿孔された排便口６１を備え、上部にはペットの尻尾が置かれる半円状の係止爪が設けられ、前記排便口の左右側には多数の磁石からなる第１磁気力部６２が設けられて、１次回収袋７０の結着を行う機能をし、ペットが排便をした場合に、第１磁気力部６２に磁石により結着された１次回収袋７０が自重によって着脱される。
【００９２】
また、前記排便器本体６０の上部に設けられ、ペットの尻尾が置かれる半円状の係止爪の左右側には１以上の磁石が埋設されてなる第２磁気力部６３が設けられて、２次回収袋８０を結着し易くし、前記第２磁気力部６３は第１磁気力部６２から所定の間隔だけ離れて埋設される磁石であり、前記第１磁気力部６２よりも上部に設けられる。
【００９３】
一方、前記１次回収袋７０は、排便器本体の第１磁気力部６２と対応する個所に磁石７２が埋設されて結着自在に構成され、１次回収袋７０と同時に着脱され、前記２次回収袋に大便及び小便が溜まることを防ぐ隠膜７５が形成されるように構成される。
【００９４】
より具体的に、前記１次回収袋７０は、ペットが排便をした場合に優先的にペットの排泄物を溜める機能をし、１次回収袋７０に形成された隠膜はペットの排泄物が２次回収袋８０に溜まることを防ぐ機能をし、排便器本体の第１磁気力部６２と対応する個所に設けられた磁石７２は排便器本体６０に１次回収袋７０を結着していて、 ペットが排便をした後に所定の自重によって落下するように構成されている。
【００９５】
また、１次回収袋７０は、好ましくは、排便器本体の第２磁気力部６３と対応する個所を除いて、第２磁気力部６３と２次回収袋８０が結着され易いように２次回収袋８０よりも相対的に短尺状に形成され、排便器本体の第２磁気力部６３と対応する個所に所定の溝を凹設する。
【００９６】
一方、前記２次回収袋８０は、排便器本体の第２磁気力部６３と対応する個所に磁石が埋設されて結着及び固定自在に設けられる第２磁気力部８３と、排便器本体の第１磁気力部６２及び１次回収袋の磁石７２と対応する個所に磁石が埋設されて結着及び着脱自在に設けられる第１磁気力部８２及び前記第１磁気力部８２の上端に第２磁気力部８３が位置して第１磁気力部８２と第２磁気力部８３との間の境界線の上に所定の部分だけ折り曲げられた溝状に形成されて２次回収袋８０を折畳可能な折曲溝８５が凹設されて、１次回収袋７０にペットの排便が行われる場合、前記折曲溝８５は２次回収袋８０の一部を折り畳む機能をする。
【００９７】
好ましくは、前記２次回収袋８０は、一方の側面に隠膜（図示せず）が設けられて、視覚的に回収袋を隠すように構成され、この隠膜は、２次回収袋８０の上部に結合され、２次回収袋８０と同時に着脱されるように構成される。
【００９８】
図１８を参照すると、排便器本体６０の一方の面に１次回収袋７０が位置し、前記１次回収袋７０を覆うように２次回収袋８０が形成される。
【００９９】
２次回収袋８０の所定の部分は排便器本体６０と結着されるように構成され、１次回収袋７０には隠膜７５が形成される。
【０１００】
図１９を参照すると、ペットが排便をした場合、排便器本体６０と結着された１次回収袋７０に優先的に排泄物が溜まり、排泄物の溜まった１次回収袋７０はその分体積が嵩むため、２次回収袋８０は折曲溝８５を備えて折曲溝８５により折り畳まれるように構成されている。
【０１０１】
また、ペットが排便をした場合、優先的に１次回収袋７０に排泄物が溜まるように隠膜７５が形成されて、２次回収袋８０と１次回収袋７０との間を隠す。
【０１０２】
図２０は、本発明の第３の実施形態に係る磁気力式回収袋の二重構造結合方法の他の例を示す図である。
【０１０３】
図２０を参照すると、磁気力式による回収袋の着脱は、ブラケットをさらに備えて、本体と蝶合されるように構成した二重構造の磁気力式結合方法により行われる。
【０１０４】
一方、ブラケットをさらに備える二重構造の磁気力式結合方法は、排便器本体６００と、前記排便器本体に着脱される１次回収袋７００と、前記排便器本体と蝶合されるブラケット８００と、前記ブラケットに着脱される２次回収袋９００と、を備えて行われる。
【０１０５】
また、前記排便器本体６００は、中央に穿孔された排便口６０１を備え、排便口の左右側に埋設される多数の磁石からなる磁気力部６０２と、前記磁気力部６０２の上端に位置し、係止爪６０３の左右側に形成される蝶合手段６０４と、を有する。
【０１０６】
さらに、前記蝶合手段６０４は、好ましくは、バネを内蔵している。
【０１０７】
さらに、前記排便器本体に着脱自在に設けられる１次回収袋７００は、前記排便器本体６００の磁気力部６０２と対応する個所に磁石７０１が埋設されて着脱自在に構成され、１次回収袋７００に設けられる隠膜は、ペットが排便をした場合、優先的に１次回収袋７００に排泄物が溜まるようにブラケット及び２次回収袋８０を隠す機能をする。
【０１０８】
一方、ブラケット８００は、前記排便器本体６００の蝶合手段６０４によって結合され、中央に穿孔された排便口８０１の左右側に埋設される多数の磁石からなる磁気力部８０２と、上部にペットの尻尾が置かれる半円状の係止爪８０３と、を有する。
【０１０９】
また、前記ブラケットに着脱自在に設けられる２次回収袋９００は、前記ブラケット８００の磁気力部８０１と対応する個所に磁石が埋設されて着脱自在に構成される。
【０１１０】
さらに、ペットが排便をした場合、排便器本体６００に結着された１次回収袋７００に優先的に排泄物が溜まり、排泄物の溜まった１次回収袋７００はその分堆積が嵩み、前記排便器本体と蝶合されたブラケットは所定の角度だけ持ち上げられる。
【０１１１】
さらに、ペットが排便をした場合、排泄物の溜まった１次回収袋７００は自重によって落下し、ブラケットに結着されている２次回収袋９００がペットの次回の排便を待つこととなる。
【０１１２】
さらに、ブラケットを用いた二重構造の磁気力式結合方法は、小便回収装置にも適用可能である。
【０１１３】
磁気力による小便回収装置は、中央に穿孔された小便口の左右側に埋設される多数の磁石からなる磁気力部及び前記磁気力部の上端に形成される蝶合手段を有する排尿器本体と、前記排尿器本体の磁気力部と対応する個所に磁石が埋設されて着脱自在に構成され、隠膜を有する１次回収袋と、前記排尿器本体の蝶合手段によって結合され、中央に穿孔された小便口の左右側に埋設される多数の磁石からなる２次ブラケットと、前記２次ブラケットの磁気力部と対応する個所に磁石が埋設されて着脱自在に構成される２次回収袋と、を備える二重構造を有する。
【０１１４】
一方、これまでは排便器本体または排尿器本体と回収袋とが着脱自在に構成される場合を例にとって説明したが、本発明はこれに限定されるものではなく、排便器本体または排尿器本体と回収袋とが一体に形成されて使い捨てで用いてもよい。
【０１１５】
（第４の実施形態）
以下、ペットに排便器本体や排尿器本体を結合する方法を説明する。
【０１１６】
上述した第１の実施形態における結合方式は、着用帯および巻帯を用いた結合方式であった。
【０１１７】
しかしながら、本発明はこれに限定されるものではなく、着用帯を用いた結合方法または衣類を用いた結合方法も採用可能である。
【０１１８】
図２１及び図２２は、本発明の第４の実施形態に係る着用帯を用いたペットに排便器本体または排尿器本体を結合する方法を示す図である。理解の便宜のために、回収袋が一体に結合された使い捨て排便器本体または排尿器本体を例にとって説明する。
【０１１９】
図２１及び図２２は、本発明の第４の実施形態に係る回収袋が一体に結合された一体型排便器本体及び排尿器本体に結合帯が結合された状態を示す図である。
【０１２０】
図２１を参照すると、使い捨て排便器本体３１０に回収袋３２０が一体に結合されており、排便器本体３１０の各端部には紐結合溝３１３が凹設されて紐２１０が排便器本体を通過する。図面符号「３１５」は、前方に５〜４５°の角度で突出する円形の係止爪を示す。
【０１２１】
また、前記使い捨て排便器本体３１０は、好ましくは、紙材質で形成されてもよい。
【０１２２】
図２２を参照すると、使い捨て排尿器本体４１０に回収袋４２０が一体に結合されており、使い捨て排尿器本体の各端部には紐結合溝４１３が凹設されて紐２１０が排尿器本体を通過する。
【０１２３】
図２３は、オスのペットに本発明に係る使い捨て排便器本体及び使い捨て排尿器本体を結合した状態を示す図であり、図２４は、メスのペットに本発明に係る使い捨て排便器本体を結合した状態を示す図である。
【０１２４】
図２３を参照すると、使い捨て排便器本体３１０及び使い捨て排尿器本体４１０を紐（帯）を用いて簡単にオスのペットに取り付けることができる。すなわち、ペットの尻部の上部には紐締め付属品３３０を用いて、背中部には自動紐縮め固定装置３４０を用いて取り付ける。
【０１２５】
また、前記紐締め付属品３３０は位置が変更されるように構成されて、ペットの種類や形状に合わせて前記紐（帯）を調節することができ、ペットの背中部に位置する前記自動紐縮め固定装置３４０は前記使い捨て排便器本体３１０及び使い捨て排尿器本体４１０をペットに固定し易くする装置であり、ペットの尻尾部において紐を引き締めた後に固定する装置として構成される。
【０１２６】
図２４を参照すると、使い捨て排便器本体３１０を、紐（帯）を用いてメスのペットに取り付けることができる。すなわち、ペットの尻部の上部には紐締め付属品３３０を用いて、背中部には自動紐縮め固定装置３４０を用いて取り付ける。
【０１２７】
図２５は、本発明に係る自動紐縮め固定装置３４０を示す概略図である。
【０１２８】
図２５の（ａ）を参照すると、自動紐縮め固定装置３４０は、円形バネ３４１を内蔵しており、バネ３４１に連結された紐を引っ張ると、バネが巻取されるようになっている。これは、ペットの動きによって紐が伸びたり縮まったりしつつ排便器本体がペットに密着される。
【０１２９】
図２５の（ｂ）を参照すると、２方紐締め付属品３４０を簡略化したものであり、主としてメスの紐締め付属品として用いられ、首部および排便器本体の向きに紐が渡される。
【０１３０】
図２５の（ｃ）を参照すると、４方紐締め付属品３４０を簡略化したものであり、主としてオスの紐締め付属品として用いられ、首部、排便器本体、排尿器本体の両側の向きに紐が渡される。
【０１３１】
図２６は、本発明に係る紐締め付属品３３０を示す概略図である。
【０１３２】
図２６を参照すると、紐締め付属品３３０は、上付属品３３０ａと下付属品３３０ｂとに分離され、これらの間にバネ３３２が介装された状態で結合される。上付属品及び下付属品にはそれぞれ紐（紐）が通過する孔３３０ａ、３３０ｂが穿孔されている。上付属品３３０ａに外圧を加えると、上付属品３３０ａは下動し、上付属品の穴３３１ａと下付属品の穴３３１ｂとが位置合わせられると、これらの穴に通された紐（帯）を通過しつつ紐締め付属品３３が左右に移動可能な構造を有する。上付属品３３０ａにかかっていた外圧を除去すると、上付属品３３０ａはバネ３３２の弾性力によって上動し、紐（帯）は互いに位置ずれつつ紐締め付属品３３０は紐（帯）に固定される。
【０１３３】
図２６に戻ると、紐締め付属品３３０は、上付属品３３０ａに外圧を加えた状態で尻尾の真上まで紐締め付属品３３０を移動させると、排便器本体３１０は一層強固にペットに固定されるような構造を有する。紐締め付属品３３０は、平面的に下部が丸められて尻尾との緊密な着用を可能にする。
【０１３４】
図２７は、本発明に係る衣類と結合する排便器本体を示す図である。
【０１３５】
図２７を参照すると、ペット用衣類５００にポケット５１０をつけて、上述した回収袋２０付き排便器本体１０を挿入して着用することができる。
【０１３６】
上述した本発明は上述した実施形態及び図面によって限定されるものではなく、本発明の技術的思想を逸脱しない範囲内において種々の置換、変形及び変更が可能であるということは本発明が属する技術分野において通常の知識を持った者にとって自明である。
【図１】
2012505635.tif 000003
【図２】
2012505635.tif 000004
【図３】
2012505635.tif 000005
【図４】
2012505635.tif 000006
【図５】
2012505635.tif 000007
【図６】
2012505635.tif 000008
【図７】
2012505635.tif 000009
【図８】
2012505635.tif 000010
【図９】
2012505635.tif 000011
【図１０】
2012505635.tif 000012
【図１１】
2012505635.tif 000013
【図１２】
2012505635.tif 000014
【図１３】
2012505635.tif 000015
【図１４】
2012505635.tif 000016
【図１５】
2012505635.tif 000017
【図１６】
2012505635.tif 000018
【図１７】
2012505635.tif 000019
【図１８】
2012505635.tif 000020
【図１９】
2012505635.tif 000021
【図２０】
2012505635.tif 000022
【図２１】
2012505635.tif 000023
【図２２】
2012505635.tif 000024
【図２３】
2012505635.tif 000025
【図２４】
2012505635.tif 000026
【図２５（ａ）】
2012505635.tif 000027
【図２５（ｂ）】
2012505635.tif 000028
【図２５（ｃ）】
2012505635.tif 000029
【図２６】
2012505635.tif 000030
【図２７】
2012505635.tif 000031
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
中央に穿孔された排便口（１１）を備え、上部にはペットの尻尾が置かれる半円状の係止爪（１５）を有する排便器本体（１０）と、
前記排便器本体（１０）の背面の両側面から後方に延び、上下に回転可能な取付棒（１６）と、
前記排便器本体（１０）の排便口（１１）の周縁に着脱される回収袋（２０）と、
を備え、
前記係止爪（１５）は、前方に５〜４５°の角度で円形に突出されてペットの尻尾が安定的に置かれるようにすることを特徴とするペットの排泄物回収装置。
【請求項２】
中央に穿孔された小便口（１１１）を備え、側面には水平に形成された摺動支持部（１１５）を有する排尿器本体（１１０）と、
前記排尿器本体の周縁に着脱される回収袋（１２０）と、
前記排尿器本体（１１０）の摺動支持部（１１５）が摺動される摺動溝（１１３）を有する排尿器本体係止部（１３２）と、排尿器本体係止部（１３２）から両側に延びてペットの身体に巻まれるように形成された羽根部（１３１）と、帯とを連結する連結溝（１１８）と、
を備える請求項１に記載のペットの排泄物回収装置。
【請求項３】
前記排便器本体の下端に形成された２つの下連結溝（１８）と、
前記取付棒（１６）のそれぞれの端部に形成された２つの上連結溝（１９）と、
をさらに備えて着用帯と連結されることを特徴とする請求項１に記載のペットの排泄物回収装置。
【請求項４】
前記排便口（１１）の下端から延びて排尿排便器一体型の回収装置として形成されることを特徴とする請求項１に記載のペットの排泄物回収装置。
【請求項５】
前記回収袋は蛇腹状に接合されて回収袋の入口に取り付けられる１次マウントと、
前記１次マウントに取り付けられ、１次マウントに接合された蛇腹の皺が拡開することを防ぐ多数の拡開防止爪が形成された２次マウントと、
を備え、
ペットの排便に際して、自重によって回収袋が外部に拡開しつつ排泄物が溜まることを特徴とする請求項１または２に記載のペットの排泄物回収装置。
【請求項６】
前記排便器本体または排尿器本体は、ペットと密着して気密を維持するために、前記排便器本体または排尿器本体の周縁部に着脱自在に嵌合される蛇腹部をさらに備えることを特徴とする請求項１または２に記載のペットの排泄物回収装置。
【請求項７】
前記回収袋の着脱は、磁気力式、ゴム輪方式、スナップボタン方式、接着テープ方式、溝への嵌入方式または摺動方式により行われることを特徴とする請求項１または２に記載のペットの排泄物回収装置。
【請求項８】
磁気力式による回収袋の着脱は、
前記排便器本体（６０）の排便口（６１）の左右側に埋設される多数の磁石からなる第１磁気力部（６２）と、
前記第１磁気力部（６２）の上端に位置し、排便器本体（６０）に設けられた係止爪の左右側面に埋設される１以上の磁石からなる第２磁気力部（６３）を有する排便器本体（６０）と、
前記第１磁気力部（６２）に着脱自在に設けられる１次回収袋（７０）と、
前記１次回収袋（７０）を覆うように前記第２磁気力部（６３）に結着される２次回収袋（８０）と、
を備える二重構造により行われることを特徴とする請求項７に記載のペットの排泄物回収装置。
【請求項９】
前記１次回収袋（７０）は、排便器本体（６０）の第１磁気力部（６２）と対応する個所に磁石（７２）が埋設されて結着自在に構成され、
前記２次回収袋（８０）に大便及び小便が溜まることを防ぐために、１次回収袋（７０）と２次回収袋（８０）との間における１次回収袋（７０）寄りに隠膜（７５）が設けられることを特徴とする請求項８に記載のペットの排泄物回収装置。
【請求項１０】
前記２次回収袋（８０）は、
排便器本体（６０）の第２磁気力部（６３）と対応する個所に磁石が埋設されて着脱自在に構成される第２磁気力部（８３）と、
排便器本体（６０）の第１磁気力部（６２）および１次回収袋（７０）の磁石（７２）と対応する個所に埋設されて着脱自在に構成される第１磁気力部（８２）と、
前記２次回収袋（８０）の上端に位置する第２磁気力部（８３）が１次回収袋（７０）に固定され、第１磁気力部（８２）と１次回収袋（７０）の磁石（７２）との間に隙間ができるように第１磁気力部（８２）と第２磁気力部（８３）との間に所定部分折り曲げられた溝状に形成されて２次回収袋（８０）を折畳可能な折曲溝（８５）と、
を備えることを特徴とする請求項８に記載のペットの排泄物回収装置。
【請求項１１】
磁気力式による回収袋の着脱は、
中央に穿孔された排便口（６０１）の左右側に埋設される多数の磁石からなる磁気力部（６０２）及び前記磁気力部（６０２）の上端に位置し、係止爪（６０３）の左右側に形成される蝶合手段（６０４）を有する排便器本体（６００）と、
前記排便器本体（６００）の磁気力部（６０２）と対応する個所に磁石（７０１）が埋設されて着脱自在に構成され、隠膜を有する１次回収袋（７００）と、
前記排便器本体（６００）の蝶合手段（６０４）によって結合され、中央に穿孔された排便口（８０１）の左右側に埋設される多数の磁石からなる磁気力部（８０２）及び上部にはペットの尻尾が置かれる半円状の係止爪（８０３）を有するブラケット（８００）と、
前記ブラケット（８００）の磁気力部（８０１）と対応する個所に磁石が埋設されて着脱自在に構成される２次回収袋（９００）と、
を備える二重構造により行われることを特徴とする請求項７に記載のペットの排泄物回収装置。
【請求項１２】
磁気力式による回収袋の着脱は、
中央に穿孔された小便口（１１００）の周縁から所定の距離だけ突出して形成されるが、左側面または右側面に斜設された突出部（１２００）と、前記突出部（１２００）に形成され、側面に凹設された摺動溝（１３００）と、前記摺動溝（１３００）に埋設される磁気力部（１４００）と、を有する排尿器本体（１０００）と、
前記摺動溝（１３００）に摺動され、摺動溝の磁気力部（１４００）と一部対応する個所に磁石（２１００）が埋設されて着脱自在に構成され、隠膜を有する１次回収袋（２０００）と、
前記１次回収袋（２０００）の背面に着脱自在に設けられ、前記摺動溝（１３００）に摺動され、摺動溝の磁気力部（１４００）および１次回収袋の磁石（２１００）と対応する個所に磁石（３２００）が埋設され、隠膜を有する２次回収袋（３０００）と、
を備えることにより行われることを特徴とする請求項７に記載のペットの排泄物回収装置。
【請求項１３】
磁気力式による回収袋の着脱は、
中央に穿孔された小便口の左右側に埋設される多数の磁石からなる磁気力部及び前記磁気力部の上端に形成される蝶合手段を有する排尿器本体と、
前記排尿器本体の磁気力部と対応する個所に磁石が埋設されて着脱自在に構成され、隠膜を有する１次回収袋と、
前記排尿器本体の蝶合手段によって結合され、中央に穿孔された小便口の左右側に埋設される多数の磁石からなる２次ブラケットと、
前記２次ブラケットの磁気力部と対応する個所に磁石が埋設されて着脱自在に構成される２次回収袋と、
を備える二重構造により行われることを特徴とする請求項７に記載のペットの排泄物回収装置。
【請求項１４】
中央に穿孔された小便口（１１１）を備え、側面には水平に形成された摺動支持部（１１５）を有する排尿器本体（１１０）と、
前記排尿器本体の周縁に着脱される回収袋（１２０）と、
前記排尿器本体（１１０）の摺動支持部（１１５）が摺動される摺動溝（１１３）を有する排尿器本体係止部（１３２）と、排尿器本体係止部（１３２）から両側に延びてペットの身体に巻かれるように形成された羽根部（１３１）と、を有する巻帯（１３０）と、
を備えるペットの排泄物回収装置。
【請求項１５】
前記巻帯（１３０）の羽根部（１３１）の両端には、ペットの毛と結合可能な櫛歯式のワンタッチバネ（１３５）が形成されることを特徴とする請求項１４に記載のペットの排泄物回収装置。
【請求項１６】
中央に排便口（１１）を備え、上部にはペットの尻尾の下部が置かれる半円部を有する排便器本体（１０）と、
前記排便器本体の排便口の周縁に着脱される回収袋と、
前記排便器本体の上端と結合し、ペットの尻尾の上部が置かれる半円部（３２）を有する係止バネ（３０）と、
前記係止バネ（３０）の半円部（３２）に摺動してペットの尻尾を安定的に固定する固定部材（３７）と、
を備えるペットの排泄物回収装置。
【請求項１７】
中央に排便口（１１）を備え、上部にはペットの尻尾の下部が置かれる半円部を有する排便器本体（１０）と、
前記排便器本体の排便口の周縁に着脱される回収袋と、
前記排便器本体の上端と結合し、ペットの尻尾の上部が置かれる半円部（３２）を有する係止バネ（３０）と、
前記係止バネ（３０）に放射状に切欠されてペットの尻尾が貫通しつつ尻尾が固定される固定部材（３８）と、
を備えるペットの排泄物回収装置。
【請求項１８】
中央に排便口（１１）を備え、上部にはペットの尻尾の下部が置かれる半円部を有する排便器本体（１０）と、
前記排便器本体の排便口の周縁に着脱される回収袋と、
前記排便器本体（１０）の上端と結合し、弾性部材及び櫛歯部材を有してペットの尻尾の上部の毛に固定されるワンタッチ式バネ固定部材（３９）と、
を備えるペットの排泄物回収装置。
【請求項１９】
中央に排便口を備え、排便口の周縁に回収袋（３２０）が一体に取設された使い捨て排便器本体（３１０）と、
前記排便器本体に凹設された溝を通過しつつペットに着用される着用帯と、
前記着用帯の途中に形成された自動紐縮め装置（３４０）と、
前記排便器本体（３１０）をペットに固定する紐締め装置（３３０）と、
をさらに備えることを特徴とするペットの排泄物回収装置。
【請求項２０】
中央に穿孔された排便口を備え、上部にはペットの尻尾が置かれる半円状の係止爪を有する排便器本体（１０）と、
前記排便器本体の排便口の周縁に着脱される回収袋（２０）と、
前記排便器本体が挿入されるポケット（５１０）と、
を備えるペット用衣類（５００）を有するペットの排泄物回収装置。
【国際調査報告】
2012505635.tif 000032
2012505635.tif 000033
2012505635.tif 000034
2012505635.tif 000035
2012505635.tif 000036
2012505635.tif 000037